(57)【要約】      （修正有）【課題】  つば前面は開閉が上下に自由に調整できるのとコンパクトに折りたたむこともできる、日焼けぼうし傘を提供する。【解決手段】  傘本体１に頭部２とつば３を設け、つばに、素材が形状記憶ワイヤーの骨部４を複数本設け、つばの前部は、前が見えるようにアミ目模様の薄い布のつばの前部５を設け、頭部にバンド６とリボン７を設けことを特徴とする日焼けぼうし傘。【選択図】図１
2008057092.tif 000002
【特許請求の範囲】
【請求項１】
（イ）傘本体（１）に頭部（２）とつば（３）を設ける。
（ロ）つば（３）に、素材が形状記憶ワイヤーの骨部（４）を複数本設ける。
（ハ）つば（３）の前部は、前が見えるようにレース裏アミ目模様の薄い布のつばの前部（５）を設ける。
（ニ）頭部（２）にバンド（６）とリボンの中の止メピン（７）を設ける。
以上のように構成された日焼けぼうし傘。
【発明の詳細な説明】
【技術分野】
【０００１】  傘本体に頭部とつばを設け、つばに、素材が形状記憶ワイヤーの骨部を複数本設け、つばの前部は、前が見えるようにレース裏アミ目模様の薄い布のつばの前部を設け、頭部にバンドとリボンを設けた日焼けぼうし傘である。
従来、夏の時期、女性は紫外線から肌を守るため、日焼止めクリーム、ＵＶカット素材の帽子、日傘さしてと３重の努力している。
それで、長時間日傘をさしていると手が疲れてくる。
帽子だけでは顔半分以上紫外線をあびてしまう。
日焼けぼうし傘で、帽子と日傘の２つの役割をはたす。
帽子のつばの部分も通常より長く顔全体を紫外線より守り、つばもレース、裏は網目模様の薄い布なので前が見える。
つば前面は開閉が上下に自由に調整できるのとコンパクトに折りたたむこともできる、日焼けぼうし傘である。
【背景技術】
【０００２】  従来、本発明のような日焼けぼうし傘はなかった。
【発明の開示】
【発明が解決しようとする課題】
【０００３】  夏女性は、紫外線から肌を守ることに努力しているが、ＵＶカット、形状記憶などの素材を使った帽子は出まわっている。
従来の帽子では、顔半分以上が紫外線をあびてしまい、日傘でおぎなってきた。
【課題を解決するための手段】
【０００４】（イ）傘本体（１）に頭部（２）とつば（３）を設ける。
（ロ）つば（３）に、素材が形状記憶ワイヤーの骨部（４）を複数本設ける。
（ハ）つば（３）の前部は、前が見えるようにレース裏アミ目模様の薄い布のつばの前部（５）を設ける。
（ニ）頭部（２）にバンド（６）とリボンの中の止メピン（７）を設ける。
以上のように構成された日焼けぼうし傘。
【発明の効果】
【０００５】  日焼けぼうし傘は、素材がレース、裏は網目もようのうす布でつばの幅が広いので顔をすっぽりかくし紫外線から肌を守っているが、つばの前がレース、アミ目模様の布なので前も見える。
前面のつばは開閉が上下に自由に動くので便利である。
帽子全体がＵＶカット、はっ水加工で少々の雨にもぬれない。
つば（３）の周囲にフリル（８）を設けたものと、設けていない２種類の日焼けぼうし傘で、好みで選んでもらえる、日焼けぼうし傘である。
日焼けぼうし傘１つで、日傘と帽子の二つの役割を合せ持った日焼ぼうし傘である。
つばの幅も従来より広く顔をすっぽりかくせるので、紫外線より肌を守ってくれ効果がある。
顔すっぽりかくしても素材がレース、裏がアミ目模様の薄い布のため前面も見え、通気性に良い効果がある。
つば前面の開閉が上下に自由に動せる効果がある。
つばの前面と後側のバランスをとるため、まち（ゆとり）（９）を設けた。
骨部の素材を形状記憶ワイヤーを使っているのでコンパクトにたたんで両手が自由になる効果がある。
はっ水化で少々の雨にもぬれない日焼けぼうし傘で、自分好みで選ぶことができる。
ゴージャス風、じみ風の２種類の日焼けぼうし傘である。
【発明を実施するための最良の形態】
【０００６】  以下発明の形態について説明します。
（イ）傘本体（１）に頭部（２）とつば（３）を設ける。
（ロ）つば（３）に、素材が形状記憶ワイヤーの骨部（４）を複数本設ける。
（ハ）つば（３）の前部は、前が見えるようにレース裏アミ目模様の薄い布のつばの前部（５）を設ける。
（ニ）頭部（２）にバンド（６）とリボンの中の止メピン（７）を設ける。
以上のように構成された日焼けぼうし傘。
全体の素材がＵＶカット、はっ水加工、レース、裏地はアミ目模様の薄い布で通気性にも良くつば（３）の幅が広いので、約１５ｃｍ〜２０ｃｍ顔をすっぽりかくして紫外線から守り素材がレース、裏地はアミ目模様の薄い布で前が見える。
帽子前面が開閉、上下に自由に動かせる形状記憶ワイヤーなので、日傘の役割もはたし帽子の前面が開閉、上下に自由に動くため、帽子の後側とのバランスを取るため、まち（ゆとり）（９）を設け帽子全体のバランスを取り、形状記憶ワイヤーで傘のようにコンパクトにたため、リボンの中の止メピン（７）を設けることで持ち運びも便利で両手が使える。
帽子部分の頭部の素材はレース、裏をアミ目模様のうす布より厚布にすることで頭部を強い直射日光の熱から守れる日焼けぼうし傘である。
日焼けぼうし傘の素材はすべてＵＶカットで日焼けから（肌を守り）はっ水加工で（少々の雨）でもぬれない。
帽子と日傘の２つの役割をはたす日焼けぼうし傘。
他の実施例として、帽子全体をレースにしても良い。
レース裏はアミ目模様の薄い布にすれば通気性も良く前面も見える。
つば（３）の幅も通常より広く、約１５ｃｍ〜２０ｃｍで顔をすっぽりかくすることで日焼けから肌を守れる。
帽子前面は開閉が上下に自由に動く、型くずれを防止するため、形状記憶ワイヤーで日傘の役割もはたせる。
帽子前面の開閉が上下に自由に動く。
帽子の後側とのバランスを取るため、マチ（ゆとり）（９）を設け帽子全体の安定が取れる。
形状記憶ワイヤーで傘の様にコンパクトにたためる。
リボンの中の止メピン（７）を設けることで持ち運びも便利である。
頭部々分は直射日光が１番あたる所なので、レース、裏アミ目模様で、より厚くすることで頭を守れる。
帽子、日傘の役割を合せもって両手も自由使える。
つば（３）の周囲にフリル（８）をつけることでゴージャス風になる日焼けぼうし傘。
【図面の簡単な説明】
【０００７】
【図１】  本発明の使用状態を示した前面図である。
【図２】  本発明の使用状態を示した横面図である。
【図３】  本発明の後面図である。
【図４】  本発明の使用状態を示した説明図である。
【図５】  本発明の他の実施例を示した使用状態の前面図である。
【図６】  本発明の他の実施例を示した使用状態の横面図である。
【図７】  本発明の他の実施例を示した後面図である。
【図８】  本発明の他の実施例を示した使用状態の説明図である。
【符号の説明】
【０００８】１  傘本体
２  頭部
３  つば
４  骨部
５  つばの前部
６  バンド
７  リボンの中の止メピン
８  フリル
９  まち（ゆとり）
【図１】
2008057092.tif 000003
【図２】
2008057092.tif 000004
【図３】
2008057092.tif 000005
【図４】
2008057092.tif 000006
【図５】
2008057092.tif 000007
【図６】
2008057092.tif 000008
【図７】
2008057092.tif 000009
【図８】
2008057092.tif 000010